(57)【要約】【課題】再度のラスタライズ処理を回避することが可能な印刷制御装置及びプログラムを提供する。【解決手段】印刷制御装置３は、記録媒体に対する画像データの位置の調整値の設定を受け付ける受付手段３００と、調整値を反映したラスタライズ処理を行って画像データを生成するラスタライズ手段３０２と、設定されている調整値とラスタライズ処理に使用された調整値との差に応じた制御を行うラスタライズ制御手段３０３とを備える。【選択図】図１
2020047095.tif 000002
【特許請求の範囲】
【請求項１】
記録媒体に対する画像データの位置の調整値の設定を受け付ける受付手段と、
前記調整値を反映したラスタライズ処理を行って前記画像データを生成する生成手段と、
設定されている前記調整値と前記ラスタライズ処理に使用された前記調整値との差に応じた制御を行う制御手段と、
を備えた印刷制御装置。
【請求項２】
前記制御手段は、前記差が予め定められた値以下の場合、前記設定されている調整値を反映した前記ラスタライズ処理を行わないよう前記生成手段を制御する、
請求項１に記載の印刷制御装置。
【請求項３】
前記制御手段は、前記差が予め定められた値以下の場合、前記設定されている調整値を反映した前記ラスタライズ処理が必要か否かの確認画面を表示して不要であると指示された場合に前記設定されている調整値を反映した前記ラスタライズ処理を行わないよう前記生成手段を制御する、
請求項２に記載の印刷制御装置。
【請求項４】
前記制御手段は、前記差が予め定められた値を超える場合、前記設定されている調整値を反映した前記ラスタライズ処理を行うよう前記生成手段を制御する、
請求項１に記載の印刷制御装置。
【請求項５】
前記制御手段は、前記差が予め定められた値を超える場合、前記設定されている調整値を反映した前記ラスタライズ処理が必要か否かの確認画面を表示して必要であると指示された場合に前記設定されている調整値を反映した前記ラスタライズ処理を行うよう前記生成手段を制御する、
請求項４に記載の印刷制御装置。
【請求項６】
前記制御手段は、前記差があっても前記設定されている調整値を反映した前記ラスタライズ処理を行った場合の処理時間が予め定められた値以下の場合、前記設定されている調整値を反映した前記ラスタライズ処理を行うよう前記生成手段を制御する、
請求項１に記載の印刷制御装置。
【請求項７】
前記制御手段は、前記差があっても前記設定されている調整値を反映した前記ラスタライズ処理を行った場合の処理時間が予め定められた値以下の場合、前記設定されている調整値を反映した前記ラスタライズ処理が必要か否かの確認画面を表示して必要であると指示されたときに前記設定されている調整値を反映した前記ラスタライズ処理を行うよう前記生成手段を制御する、
請求項６に記載の印刷制御装置。
【請求項８】
前記制御手段は、前記差があり、前記設定されている調整値を反映した前記ラスタライズ処理を行った場合の処理時間が予め定められた値を超える場合、前記設定されている調整値を反映した前記ラスタライズ処理を行わないよう制御する、
請求項１に記載の印刷制御装置。
【請求項９】
前記制御手段は、前記差があり、前記設定されている調整値を反映した前記ラスタライズ処理を行った場合の処理時間が予め定められた値を超える場合、前記設定されている調整値を反映した前記ラスタライズ処理が必要か否かの確認画面を表示して必要であると指示されたときに前記設定されている調整値を反映した前記ラスタライズ処理を行うよう前記生成手段を制御する、
請求項８に記載の印刷制御装置。
【請求項１０】
コンピュータを、
記録媒体に対する画像データの位置の調整値の設定を受け付ける受付手段と、
前記調整値を反映したラスタライズ処理を行って前記画像データを生成する生成手段と、
設定されている前記調整値と前記ラスタライズ処理に使用された前記調整値との差に応じた制御を行う制御手段、
として機能させるためのプログラム。
【発明の詳細な説明】
【技術分野】
【０００１】
本発明は、印刷制御装置及びプログラムに関する。
【背景技術】
【０００２】
近年、プリンタコントローラで印刷データをラスタライズしてイメージデータを生成し、イメージデータを含むジョブデータを画像形成装置に送信して画像を形成する画像形成システムが提案されている（例えば、特許文献１参照。）。
【０００３】
特許文献１に記載された画像形成システムは、表示操作部で編集操作を受け付けてイメージデータのラスタライズによる再生成が必要な場合にその旨を表示し、かつ、プリンタコントローラに編集操作に対応するイメージデータの再生成を要求する制御部を備える。
【先行技術文献】
【特許文献】
【０００４】
【特許文献１】特開２００９−２９８０４３号公報
【発明の概要】
【発明が解決しようとする課題】
【０００５】
本発明の課題は、再度のラスタライズ処理を回避することが可能な印刷制御装置及びプログラムを提供することにある。
【課題を解決するための手段】
【０００６】
［１］記録媒体に対する画像データの位置の調整値の設定を受け付ける受付手段と、
前記調整値を反映したラスタライズ処理を行って前記画像データを生成する生成手段と、
設定されている前記調整値と前記ラスタライズ処理に使用された前記調整値との差に応じた制御を行う制御手段と、を備えた印刷制御装置。
［２］前記制御手段は、前記差が予め定められた値以下の場合、前記設定されている調整値を反映した前記ラスタライズ処理を行わないよう前記生成手段を制御する、前記［１］に記載の印刷制御装置。
［３］前記制御手段は、前記差が予め定められた値以下の場合、前記設定されている調整値を反映した前記ラスタライズ処理が必要か否かの確認画面を表示して不要であると指示された場合に前記設定されている調整値を反映した前記ラスタライズ処理を行わないよう前記生成手段を制御する、前記［２］に記載の印刷制御装置。
［４］前記制御手段は、前記差が予め定められた値を超える場合、前記設定されている調整値を反映した前記ラスタライズ処理を行うよう前記生成手段を制御する、前記［１］に記載の印刷制御装置。
［５］前記制御手段は、前記差が予め定められた値を超える場合、前記設定されている調整値を反映した前記ラスタライズ処理が必要か否かの確認画面を表示して必要であると指示された場合に前記設定されている調整値を反映した前記ラスタライズ処理を行うよう前記生成手段を制御する、前記［４］に記載の印刷制御装置。
［６］前記制御手段は、前記差があっても前記設定されている調整値を反映した前記ラスタライズ処理を行った場合の処理時間が予め定められた値以下の場合、前記設定されている調整値を反映した前記ラスタライズ処理を行うよう前記生成手段を制御する、前記［１］に記載の印刷制御装置。
［７］前記制御手段は、前記差があっても前記設定されている調整値を反映した前記ラスタライズ処理を行った場合の処理時間が予め定められた値以下の場合、前記設定されている調整値を反映した前記ラスタライズ処理が必要か否かの確認画面を表示して必要であると指示されたときに前記設定されている調整値を反映した前記ラスタライズ処理を行うよう前記生成手段を制御する、前記［６］に記載の印刷制御装置。
［８］前記制御手段は、前記差があり、前記設定されている調整値を反映した前記ラスタライズ処理を行った場合の処理時間が予め定められた値を超える場合、前記設定されている調整値を反映した前記ラスタライズ処理を行わないよう制御する、前記［１］に記載の印刷制御装置。
［９］前記制御手段は、前記差があり、前記設定されている調整値を反映した前記ラスタライズ処理を行った場合の処理時間が予め定められた値を超える場合、前記設定されている調整値を反映した前記ラスタライズ処理が必要か否かの確認画面を表示して必要であると指示されたときに前記設定されている調整値を反映した前記ラスタライズ処理を行うよう前記生成手段を制御する、前記［８］に記載の印刷制御装置。
［１０］コンピュータを、記録媒体に対する画像データの位置の調整値の設定を受け付ける受付手段と、
前記調整値を反映したラスタライズ処理を行って前記画像データを生成する生成手段と、
設定されている前記調整値と前記ラスタライズ処理に使用された前記調整値との差に応じた制御を行う制御手段、として機能させるためのプログラム。
【発明の効果】
【０００７】
請求項１、２、３、８、１０に係る発明によれば、再度のラスタライズ処理を回避することが可能になる。
請求項４、５に係る発明によれば、操作者の意思を反映して再度のラスタライズ処理を行うことができる。
請求項６、７に係る発明によれば、待ち時間に影響が少ないとみなせる場合には、再度のラスタライズ処理を行うことができる。
請求項９に係る発明によれば、待ち時間が長くなっても操作者の意思を反映して再度のラスタライズ処理を行うことができる。
【図面の簡単な説明】
【０００８】
【図１】図１は、本発明の実施の形態に係る印刷システムの構成例を示すブロック図である。
【図２】図２は、アライメント調整値を説明するための図である。
【図３】図３は、アライメント調整の設定画面の一例を示す図である。
【図４】図４は、警告画面の一例を示す図である。
【図５】図５は、本実施の形態に係る印刷システムの動作の一例を示すフローチャートである。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本実施の形態に係る印刷制御装置は、記録媒体に対する画像データの位置の調整値の設定を受け付ける受付手段と、調整値を反映したラスタライズ処理を行って画像データを生成する生成手段と、設定されている調整値とラスタライズ処理に使用された調整値との差に応じた制御を行う制御手段とを備える。
【００１１】
「記録媒体」は、トナー、インク等の色材によって画像が形成される媒体をいい、カット紙やロール状の連続紙（連帳紙ともいう。）でもよい。「調整値」は、記録媒体に対して画像データを形成する位置を調整する値のことであり、例えば、Ｙ方向（記録媒体の搬送方向）の値と、Ｘ方向（記録媒体の搬送方向に直交する方向）の値とがある。「ラスタライズ処理」とは、印刷データをプリンタ等の画像出力装置で印刷できる形式、例えばビットマップデータに変換する処理をいう。設定されている調整値は、現在設定されている調整値であり、ラスタライズ処理後に調整値が設定された場合はその調整値をいう。
【００１２】
［実施の形態］
図１は、本発明の実施の形態に係る画像処理システムの構成例を示すブロック図である。この印刷システム１は、印刷指示装置２と、印刷制御装置３と、画像出力装置４とを有して構成されている。印刷指示装置２及び画像出力装置４は、複数でもよい。印刷制御装置３は、例えば、プリントサーバ等の機能を有するサーバ装置が該当する。
【００１３】
印刷指示装置２は、例えば、パーソナルコンピュータ、タブレット型端末、多機能携帯電話機（スマートフォン）等の携帯情報端末が含まれる。印刷指示装置２は、印刷ジョブを印刷制御装置３に送信するものである。印刷ジョブは、印刷を指示する印刷指示情報の一例である。
【００１４】
印刷ジョブは、印刷ジョブを識別するジョブＩＤと、印刷制御装置３や画像出力装置４が解釈できるページ記述言語（ＰＤＬ：Page Description Language）で記述された印刷データと、両面／片面や部数等の各種の印刷の条件等の印刷の属性を示す属性情報とを含んで構成されている。
【００１５】
ＰＤＬには、例えば、ＰＤＦ（Portable Document Format)や、ＰｏｓｔＳｃｒｉｐｔ（登録商標）、ＰＣＬ（Printer Command Language）等がある。
【００１６】
画像出力装置４は、例えば、電子写真方式、インクジェット方式等により用紙等の記録媒体に画像を形成するプリンタや、スキャン、プリント、複写、ファクシミリ等の複数の機能を有する複合機を用いることができる。
【００１７】
（印刷制御装置の構成）
印刷制御装置３は、この装置３の各部を制御する制御部３０と、各種の情報を記憶する記憶部３１と、キーボードやマウス等で実現される入力部３２と、液晶ディスプレイ等で実現される表示部３３と、印刷指示装置２との間で通信するネットワークＩ／Ｆ（インターフェース）３４Ａと、画像出力装置４との間で通信するネットワークＩ／Ｆ（インターフェース）３４Ｂとを備える。
【００１８】
制御部３０は、ＣＰＵ（Central Processing Unit）、インターフェース等から構成されている。ＣＰＵは、記憶部３１に記憶されたプログラム３１０に従って動作することにより、受付手段３００、ラスタライズ処理時間算出手段３０１、ラスタライズ手段３０２、ラスタライズ制御手段３０３、印刷制御手段３０４等として機能する。ラスタライズ手段３０１は、生成手段の一例である。ラスタライズ制御手段３０３は、制御手段の一例である。これらの手段３００〜３０４については後述する。
【００１９】
記憶部３１は、ＲＯＭ（Read Only Memory）、ＲＡＭ（Random Access Memory）、ハードディスク等から構成される。記憶部３１は、プログラム３１０、ジョブ情報３１１、ラスター画像データ３１２、設定されたアライメント調整値Ｖｃを含むアライメント設定情報３１３、ラスタライズ処理時間３１４等の各種情報を記憶する。ジョブ情報３１１は、印刷ジョブの識別情報であるジョブＩＤが付与された印刷ジョブである。
【００２０】
アライメント設定情報３１４には、ジョブＩＤに対応付けて、以下の情報が含まれている。
【００２１】
（１）アライメント調整値Ｖｃ
このアライメント調整値Ｖｃは、設定されているアライメント調整値（記憶部３１に記憶されている値）である。このアライメント調整値Ｖｃには、Ｙ方向のアライメント調整値Ａｙと、Ｘ方向のアライメント調整値Ａｘとがある。Ｙ方向のアライメント調整値Ａｙは、記録媒体（本実施の形態ではカット紙Ｐ）に対するラスター画像データ３１２のＹ方向のアライメント調整値である。Ｘ方向のアライメント調整値Ａｘは、カット紙Ｐに対するラスター画像データ３１２のＸ方向のアライメント調整値である。アライメント調整値Ｖｃは、設定画面１０で再度設定された場合は、上書きされる。
【００２２】
（２）アライメント調整値の差（誤差）に対する許容値
この許容値は設定されているアライメント調整値Ｖｃ（記憶部３１に記憶されている値）とラスタライズ処理に使用されたアライメント調整値Ｖｐ（ラスタライズ手段３０２に保持されている値）とに差（誤差）がある場合、差に対する許容値である。Ｙ方向の許容値をＴｙ、Ｘ方向の許容値をＴｘとする。アライメント調整値Ｖｃは、設定されている調整値の一例である。アライメント設定値Ｖｐは、ラスタライズ処理に使用された調整値の一例である。
【００２３】
（３）再ラスタライズを許容するラスタライズ処理時間
設定されているアライメント調整値Ｖｃとラスタライズ処理に使用されたアライメント調整値Ｖｐとに差があり、ラスタライズ処理時間が許容時間以下の場合は再ラスタライズを行うものである。「ラスタライズ処理時間」とは、例えば、印刷ジョブに含まれる印刷データに対してラスタライズ処理を開始してラスター画像データを記憶部３１に記憶するまでの時間をいう。
【００２４】
図２は、アライメント調整値を説明するための図である。画像出力装置４には、アライメント調整機能（レジ合わせともいう。）を有しているものもあれば、その機能を有していないものある。画像出力装置４がアライメント調整機能を有していない場合は、印刷制御装置３側でアライメント調整を行う必要がある。この場合、後述する図３に示す設定画面１０でカット紙Ｐに対してラスター画像データ３１２のＹ方向（カット紙Ｐの搬送方向）のアライメント調整値Ａｙ、及びＸ方向（カット紙Ｐの搬送方向に直交する方向）のアライメント調整値Ａｘを設定できるようにしている。なお、記録媒体が連続紙の場合、Ｙ方向のアライメント調整値Ａｙは、Ｘ方向の基準線からの距離となる。
【００２５】
図３は、アライメント調整の設定画面の一例を示す図である。設定画面１０は、Ｙ方向のアライメント調整値Ａｙの入力欄１０ａと、Ｘ方向のアライメント調整値Ａｘの入力欄１０ｂと、「アライメントの誤差を許容する（ｍｍ）」の項目を選択するためのチェックボックス１０ｃと、Ｙ方向のアライメント調整値Ａｙの誤差に対する許容値Ｔｙの入力欄１０ｄと、Ｘ方向のアライメント調整値Ａｘの誤差に対する許容値Ｔｘの入力欄１０ｅと、「再ラスタライズを許容する（分）」の項目を選択するためのチェックボックス１０ｆと、ラスタライズの許容時間の入力欄１０ｇと、「標準に戻す」ボタン１０ｈと、「キャンセル」ボタン１０ｉと、「ＯＫ」ボタン１０ｊとを有する。アライメント調整値Ａｙ及びアライメント調整値Ａｘは、−２４４．００〜２４４．００ｍｍの範囲で入力できる。許容値Ｔｙ及び許容値Ｔｙは、０．００〜２４４．００の範囲で入力できる。ラスタライズの許容時間は、１〜２０分の間で入力できる。「標準に戻す」ボタン１０ｈが操作された場合は、アライメント調整値Ａｙ及びアライメント調整値Ａｘが予め定められた調整値に戻る。「キャンセル」ボタン１０ｉが操作された場合は、設定内容がキャンセルされる。「ＯＫ」ボタン１０ｊが操作された場合は、設定内容が確定し、設定内容がアライメント設定情報３１３として記憶部３１に記憶される。
【００２６】
図４は、警告画面１１の一例を示す図である。警告画面１１は、「ラスタライズ時と、印刷時で、アライメント調整の値が変更されています。プリントを継続しますか？」のメッセージ１１ａと、ジョブＩＤ、ラスタライズ処理時間、アライメント調整値の各項目１１ｂ〜１１ｄと、「再ラスタライズして、アライメント調整を印刷時の値に合わせる。」の項目を選択するためのチェックボックス１１ｅと、「オンメモリ方式に切り替える。」の項目を選択するためのチェックボックス１１ｆと、「いいえ（Ｎ）」ボタン１１ｇと、「はい（Ｙ）」ボタン１１ｈとを有する。「いいえ（Ｎ）」ボタン１１ｇが操作された場合は、印刷が中止される。「はい（Ｙ）」ボタン１１ｈが操作された場合は、印刷が継続される。オンメモリ方式とは、印刷ページを順次ラスタライズしながら印刷処理を実行する印刷処理方式をいう。なお、警告画面１１におけるラスタライズ時は、ラスタライズ処理に使用された調整値のことであり、印刷時は、設定されている調整値のことである。警告画面１１は、確認画面の一例である。
【００２７】
（各手段の説明）
次に、制御部３０の各手段３００〜３０６について説明する。
【００２８】
受付手段３００は、印刷指示装置２から送信される印刷ジョブを受け付ける。受付手段３００は、受け付けた印刷ジョブにジョブＩＤを付与してジョブ情報３１１として記憶部３１に記憶する。また、受付手段３００は、設定画面１０等の各種の設定画面に対する操作を受け付ける。受付手段３００は、図３に示す設定画面１０で設定された設定内容をアライメント設定情報３１３として記憶部３１に記憶する。
【００２９】
ラスタライズ処理時間算出手段３０１は、印刷ジョブに基づいてラスタライズ処理時間を算出する。
【００３０】
ラスタライズ手段３０２は、印刷ジョブに含まれる印刷データをラスタライズ処理してラスター画像データ３１２を生成する。なお、ラスタライズ手段３０２は、ラスタライズ設定情報３１３にアライメント調整値Ｖｃが含まれている場合、ラスタライズ制御手段３０３の制御の下で、アライメント調整値Ｖｃを反映したラスター画像データ３１２を生成する。ラスタライズ手段３０２は、ラスタライズ処理に使用したアライメント調整値Ｖｃを次回のラスタライズ処理まで過去のアライメント調整値Ｖｐとして保持する。
【００３１】
ラスター画像データ３１２は、印刷ジョブの属性情報に応じて生成され、１ドット（画素、pixel）単位の点の集まりで構成されたビットマップ形式のイメージデータである。具体的には、ラスタライズ手段３０２は、ＣＭＹＫの各色に対応したＣＭＹＫ版のラスター画像データ３１２を生成する。ＣＭＹＫ版のラスター画像データ３１２は、ＣＭＹＫの各版のラスター画像データによって構成されている。ＣＭＹＫ版のラスター画像データ３１２は、画像データの一例である。
【００３２】
ラスタライズ制御手段３０３は、設定されたアライメント調整値Ｖｃ（記憶部３１に記憶された値）とラスタライズ処理に使用されたアライメント調整値Ｖｐ（ラスタライズ手段３０２に保持された値）との差に応じた制御を行う。ラスタライズ制御手段３０３は、差が予め定められた値以下か否かに応じた制御を行ってもよい。
【００３３】
設定されたアライメント調整値Ｖｐのうち、Ｙ方向のアライメント調整値をＡｙｐ、Ｘ方向のアライメント調整値をＡｘｐとする。ラスタライズ処理に使用されたアライメント設定値Ｖｐのうち、Ｙ方向のアライメント調整値をＡｙｃ、Ｘ方向のアライメント調整値をＡｘｃとする。
【００３４】
ラスタライズ制御手段３０３は、調整値のＹ方向の差ΔＡｙを式（１）により算出し、調整値のＸ方向の差ΔＡｘを式（２）により算出する。
ΔＡｙ＝｜Ａｙｐ−Ａｙｃ｜          ・・・（１）
ΔＡｘ＝｜Ａｘｐ−Ａｘｃ｜          ・・・（２）
【００３５】
設定画面１０で設定された調整値の差（誤差）のＹ方向の許容値をＴｙ、Ｘ方向の許容値をＴｘとすると、ラスタライズ制御手段３０３は、次に式（３）、（４）に示すように、調整値の差ΔＡｙ、ΔＡｘと許容値Ｔｙ、Ｔｘとの比較を行う。
ΔＡｙ≦Ｔｙ                        ・・・（３）
ΔＡｘ≦Ｔｘ                        ・・・（４）
【００３６】
ラスタライズ制御手段３０３は、上記式（３）、（４）を満たす場合、設定されている調整値を反映したラスタライズ処理を行わないようラスタライズ手段３０２を制御してもよく、設定されている調整値を反映したラスタライズ処理が必要か否かの確認画面を表示して不要であると指示された場合に設定されている調整値を反映したラスタライズ処理を行わないようラスタライズ手段３０２を制御してもよい。
【００３７】
また、ラスタライズ制御手段３０３は、上記式（３）、（４）を満たさない場合、設定されている調整値を反映したラスタライズ処理を行うようラスタライズ手段３０２を制御してもよく、設定されている調整値を反映したラスタライズ処理が必要か否かの確認画面を表示して必要であると指示された場合に設定されている調整値を反映したラスタライズ処理を行うようラスタライズ手段３０２を制御してもよい。
【００３８】
また、ラスタライズ制御手段３０３は、上記差があっても設定されている調整値を反映したラスタライズ処理を行った場合のラスタライズ処理時間が予め定められた値以下の場合、設定されている調整値を反映したラスタライズ処理を行うようラスタライズ手段３０２を制御してもよく、設定されている調整値を反映したラスタライズ処理が必要か否かの確認画面を表示して必要であると指示されたときに設定されている調整値を反映したラスタライズ処理を行うようラスタライズ手段３０２を制御してもよい。
【００３９】
また、ラスタライズ制御手段３０３は、上記差があり、設定されている調整値を反映したラスタライズ処理を行った場合のラスタライズ処理時間が予め定められた値を超える場合、設定されている調整値を反映したラスタライズ処理を行わないよう制御してもよく、設定されている調整値を反映したラスタライズ処理が必要か否かの確認画面を表示して必要であると指示されたときに設定されている調整値を反映したラスタライズ処理を行うようラスタライズ手段３０２を制御してもよい。
【００４０】
印刷制御手段３０４は、アライメント調整値が設定された場合は、アライメント調整値を反映したラスター画像データ３１２を印刷するよう画像出力装置４を制御し、アライメント調整値が設定されていない場合は、アライメント調整値を反映していないラスター画像データ３１２を印刷するよう画像出力装置４を制御する。
【００４１】
（実施の形態の動作）
次に、画像処理システム１の動作の一例について図５を参照して説明する。図５は、画像処理システム１の動作の一例を示すフローチャートである。
【００４２】
印刷制御装置３の受付手段３００が印刷指示装置２から送信された印刷ジョブを受け付けると、ジョブＩＤを生成し、ジョブ情報３１１として記憶部３１に記憶する。受付手段３００は、ユーザから要求があれば設定画面１０等を表示部３３に表示して設定を受け付ける。受付手段３００は、アライメント調整値Ａｘ、Ａｙを受け付けると、そのアライメント調整値Ａｘ、Ａｙをアライメント調整情報３１４として記憶部３１に記憶する。
【００４３】
ラスタライズ手段３０２は、受付手段３００がアライメント調整値の設定を受け付けて記憶部３１に記憶されているアライメント調整値とラスタライズ手段３０２が保持しているアライメント調整値とが同一か否かを判断する（Ｓ１）。
【００４４】
同一であれば（Ｓ１：Ｙｅｓ）、アライメント調整値はラスタライズ処理後に設定さていないことから、印刷指示を行う（Ｓ５）。同一でない場合は（Ｓ１：Ｎｏ）、設定されているアライメント調整値とラスタライズ処理に使用されたアライメント調整値との差が許容範囲内か否かを判断する（Ｓ２）。
【００４５】
許容範囲内であれば（Ｓ２：Ｙｅｓ）、印刷指示を行う（Ｓ５）。許容範囲内でない場合は（Ｓ２：Ｎｏ）、ラスタライズ処理時間が許容時間以下か否かを判断する（Ｓ３）。
【００４６】
許容時間以下の場合は（Ｓ３：Ｙｅｓ）、再ラスタライズ処理を行う（Ｓ４）。すなわち、ラスタライズ手段３０２は、印刷ジョブに含まれるＰＤＬデータによる印刷データに対し設定されたアライメント調整値を反映したラスタライズ処理を行ってラスター画像データ３１２を生成し、記憶部３１に記憶する。
【００４７】
次に、印刷制御手段３０４は、ラスター画像データ３１２を印刷するよう画像出力装置４に対し印刷指示を行う（Ｓ５）。許容時間以下でない場合は（Ｓ３：Ｎｏ）、警告画面１１をポップアップ表示する（Ｓ７）。
【００４８】
警告画面１１に対して「いいえ（Ｎ）」ボタン１１ｇが操作された場合は、印刷を中止する（Ｓ８：Ｎｏ）。「はい（Ｙ）」ボタン１１ｈが操作された場合は、印刷を継続し（Ｓ８：Ｙｅｓ）、再ラスタライズの指定に従う（Ｓ９）。
【００４９】
再ラスタライズ処理を行うよう指定されている場合は（Ｓ９：Ｙｅｓ）、再ラスタライズ処理を行い（Ｓ１０）、印刷指示を行う（Ｓ１１）。
【００５０】
以上、本発明の実施の形態を説明したが、本発明の実施の形態は上記実施の形態に限定されるものではなく、本発明の要旨を変更しない範囲内で種々の変形、実施が可能である。例えば、画像出力装置４を含む画像形成装置に対しても本発明を適用することは可能である。
【００５１】
制御部３０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００５２】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータで読み取り可能な記録媒体に記録して提供することができ、クラウドサーバ等の外部サーバに格納しておき、ネットワークを介して利用することもできる。
【符号の説明】
【００５３】
１…印刷システム、２…印刷指示装置、３…印刷制御装置、４…画像出力装置、１０…設定画面、１０ａ…アライメント調整値Ａｘの入力欄、１０ｂ…アライメント調整値Ａｙの入力欄、１０ｃ…チェックボックス、１０ｄ…アライメント調整値Ａｘの誤差の許容値の入力欄、１０ｅ…アライメント調整値Ａｙの誤差の許容値の入力欄、１０ｆ…チェックボックス、１０ｇ…許容するラスタライズ処理時間の入力欄、１０ｈ…「標準に戻す」ボタン、１０ｉ…「キャンセル」ボタン、１０ｊ…「ＯＫ」ボタン、１１…警告画面、１１ａ…メッセージ、１１ｂ〜１１ｄ…項目、１１ｅ、１１ｆ…チェックボックス、１１ｇ…「いいえ（Ｎ）」ボタン、１１ｈ…「はい（Ｙ）」ボタン、３０…制御部、３１…記憶部、３２…入力部、３３…表示部、３４Ａ、３４Ｂ…ネットワークＩ／Ｆ、３００…受付手段、３０１…ラスタライズ処理時間算出手段、３０２…ラスタライズ手段、３０３…ラスタライズ制御手段、３０４…印刷制御手段、３１０…プログラム、３１１…ジョブ情報、３１２…ラスター画像データ、３１３…アライメント設定情報
【図１】
2020047095.tif 000003
【図２】
2020047095.tif 000004
【図３】
2020047095.tif 000005
【図４】
2020047095.tif 000006
【図５】
2020047095.tif 000007